(57)【要約】【課題】ガラス扉の曇りを防止するとともに陳列室内の冷却効果を向上させることができるリーチインショーケースを提供する。【解決手段】前面にガラス扉２付きの開口３を有する箱形の断熱壁４内に区画壁５を介して陳列室６を配置し、断熱壁４と区画壁５との間にダクト７を形成するとともに、該ダクト７に連通する吹出口１０を前記開口３の上縁に設け、陳列室６下部から吸引した陳列室内空気を冷却器９で冷却後にダクト７を通して前記吹出口１０から下方に向けて吹き出すことにより開口部分に冷気のエアカーテンを形成して陳列室６内を冷却するリーチインショーケース１において、前面開口３の上縁に設けられた吹出口１０から吹き出す冷気の流れを、該吹出口１０の真下に向けて吹き出す流れＦ１と、前記ガラス扉２の内面に向けて吹き出す流れＦ２とに分流する整流板１２を設ける。【選択図】図１
2011152186.tif 000002
【特許請求の範囲】
【請求項１】
前面にガラス扉付きの開口を有する箱形の断熱壁内に区画壁を介して陳列室を配置し、断熱壁と区画壁との間にダクトを形成するとともに、該ダクトに連通する吹出口を前記開口の上縁に設け、陳列室下部から吸引した陳列室内空気を冷却器で冷却後にダクトを通して前記吹出口から下方に向けて吹き出すことにより開口部分に冷気のエアカーテンを形成して陳列室内を冷却するリーチインショーケースにおいて、
前記吹出口に、該吹出口から吹き出す冷気の流れを、該吹出口の真下に向けて吹き出す流れと、前記ガラス扉の内面に向けて吹き出す流れとに分流する整流板を設けたことを特徴とするリーチインショーケース。
【請求項２】
前記陳列室に、該陳列室内を上下に区画する水平方向の商品陳列用棚板が設けられ、該商品陳列用棚板は、陳列室側壁に装着される棚板本体と、該棚板本体に対して前記ガラス扉の内面方向に向けて伸縮するスライド板とを備えていることを特徴とする請求項１記載のリーチインショーケース。
【請求項３】
前記開口の一側に設けられた支柱の高さ方向にＬＥＤ照明が設けられ、該ＬＥＤ照明は、多数のＬＥＤをＬＥＤ収納部材内に収納するとともに、該ＬＥＤ収納部材を前記支柱に設けられる戸当たり部材と一体的に形成したことを特徴とする請求項１又は２記載のリーチインショーケース。
【請求項４】
前記陳列室の最下段にワイヤ製収納箱が設けられ、該ワイヤ製収納箱は、下部箱体と、該下部箱体の上部に前後方向に移動可能に設けられた上部箱体とを有していることを特徴とする請求項１乃至３のいずれか１項記載のリーチインショーケース。
【発明の詳細な説明】
【技術分野】
【０００１】
本発明は、スーパーマーケットやコンビニエンスストアに設置されて商品を陳列販売するために用いられるリーチインショーケースに関し、詳しくは、前面にガラス扉を備えた冷気循環式のリーチインショーケースに関する。
【背景技術】
【０００２】
リーチインショーケースは、前面にガラス扉付きの開口を有する箱形の断熱壁内に区画壁を介して陳列室を配置し、断熱壁と区画壁との間にダクトを形成するとともに、該ダクトに連通する吹出口を前記開口の上縁に設け、陳列室下部から吸引した陳列室内空気を冷却器で冷却後にダクトを通して前記吹出口から下方に向けて吹き出すことにより、開口部分に冷気のエアカーテンを形成するとともに、陳列室内を所定温度に冷却している（例えば、特許文献１参照）。
【０００３】
このようなリーチインショーケースにおける省エネルギーを図るために、ガラス扉を閉じたときに吹出口からの冷気の吹出風量を低めに設定することが行われている（例えば、特許文献２参照）。また、ガラス扉のガラス面への結露によるガラス扉の曇りを防止するために蛍光灯の安定器の発熱を利用することも行われている（例えば、特許文献３参照）。
【先行技術文献】
【特許文献】
【０００４】
【特許文献１】特開平８−１１２１７１号公報
【特許文献２】特開平１０−１８５３８７号公報
【特許文献３】特開２００６−１４９１７号公報
【発明の概要】
【発明が解決しようとする課題】
【０００５】
しかし、特許文献２に記載の方法では、ある程度の省エネルギーは図れるもののガラス扉の曇りを防止することはできなかった。また、近年は蛍光灯に変わって安定器を使用しないＬＥＤを照明に用いるようになってきているため、安定器の発熱をガラス扉の曇り防止に利用することができなくなってきている。
【０００６】
そこで本発明は、エアーカーテンを利用してガラス扉の曇りを防止するとともに、エアカーテンによる陳列室内の冷却効果を向上させて省エネルギーを図ることができるリーチインショーケースを提供することを目的としている。
【課題を解決するための手段】
【０００７】
上記目的を達成するため、本発明のリーチインショーケースは、前面にガラス扉付きの開口を有する箱形の断熱壁内に区画壁を介して陳列室を配置し、断熱壁と区画壁との間にダクトを形成するとともに、該ダクトに連通する吹出口を前記開口の上縁に設け、陳列室下部から吸引した陳列室内空気を冷却器で冷却後にダクトを通して前記吹出口から下方に向けて吹き出すことにより開口部分に冷気のエアカーテンを形成して陳列室内を冷却するリーチインショーケースにおいて、前記吹出口に、該吹出口から吹き出す冷気の流れを、該吹出口の真下に向けて吹き出す流れと、前記ガラス扉の内面に向けて吹き出す流れとに分流する整流板を設けたことを特徴としている。
【０００８】
さらに、本発明のリーチインショーケースは、前記陳列室に、該陳列室内を上下に区画する水平方向の商品陳列用棚板であって、陳列室側壁に装着される棚板本体と、該棚板本体に対して前記ガラス扉の内面方向に向けて伸縮するスライド板とを備えている商品陳列用棚板を設けることが好ましい。
【０００９】
また、前記開口の一側に設けられた支柱の高さ方向に、多数のＬＥＤをＬＥＤ収納部材内に収納するとともに、該ＬＥＤ収納部材を前記支柱に設けられる戸当たり部材と一体的に形成したＬＥＤ照明を設けることが好ましい。さらに、前記陳列室の最下段に、下部箱体と、該下部箱体の上部に前後方向に移動可能に設けられた上部箱体とを有するワイヤ製収納箱を設けることが好ましい。
【発明の効果】
【００１０】
本発明のリーチインショーケースによれば、冷気の吹出口に整流板を設けて真下に向けて吹き出す冷気の流れと、ガラス扉の内面に向けて吹き出す冷気の流れとを形成したので、真下に向けて吹き出す冷気によって陳列室内を効率よく冷却できるとともに、ガラス扉の内面に向けて吹き出す冷気によってガラス扉の曇りを防止することができる。
【００１１】
また、商品陳列用棚板にスライド板を設けることにより、商品形態や商品陳列量に適した棚板奥行きに変更することができ、スライド板を手前に引き出すことによって商品の補充も容易に行うことができる。さらに、開口部分にＬＥＤ照明を設けることにより、省エネルギーを図りながら効果的な照明を行うことができ、照明収納部材と戸当たり部材とを一体的に形成することによってＬＥＤ照明の放熱と戸当たり部材への結露防止とを図れる。また、陳列室の最下段に設けたワイヤ製収納箱を上下二段構造とすることにより、商品形態や商品陳列量に応じて上部箱体を前後に移動させることで効果的な陳列状態とすることができ、下部箱体内をストック用として使用することもできる。
【図面の簡単な説明】
【００１２】
【図１】本発明のリーチインショーケースの一形態例を示す断面側面図である。
【図２】要部の拡大断面平面図である。
【図３】ＬＥＤ照明を収納した照明収納部材の一例を示す斜視図である。
【発明を実施するための形態】
【００１３】
本形態例に示すリーチインショーケース１は、前面にガラス扉２を開閉可能に装着した開口３を有する箱形の断熱壁４の内側に区画壁５を介して陳列室６を形成している。断熱壁５と区画壁６との間にはダクト７が形成されており、該ダクト７の内部には、送風ファン８や冷却器９が設けられている。前記開口３の上縁には、前記ダクト７に連通する吹出口１０が設けられており、陳列室下部前縁に設けられた吸込口１１から吸引した陳列室内空気を前記冷却器９で冷却後にダクト７を通して前記吹出口１０から下方に向けて吹き出すことにより、開口３の部分に冷気のエアカーテンを形成するとともに、陳列室６内を冷却するように形成されている。
【００１４】
前記吹出口１０には、該吹出口１０から下方に向かって吹き出す冷気の流れを、該吹出口１０の真下に向けて前記ガラス扉２の内面に対して平行な方向に吹き出す流れＦ１と、前記ガラス扉２の内面に向けて吹き出す流れＦ２とに分流する複数の整流板１２が設けられている。
【００１５】
このように、吹出口１０に整流板１２を設けて真下に向けて吹き出す冷気の流れＦ１と、ガラス扉２の内面に向けて吹き出す冷気の流れＦ２とを形成することにより、真下に向けて吹き出す冷気の流れＦ１によってガラス扉２を開いたときの外気の流入を抑えながら陳列室６内を効率よく冷却できる。また、ガラス扉２の内面に向けて吹き出す冷気の流れＦ２によってガラス扉２の内面に沿った冷気の流動が形成されるので、ガラス扉２の内面に曇りが生じることを防止することができる。
【００１６】
また、前記陳列室６内には、陳列室６内を上下に区画する水平方向の商品陳列用棚板１３が複数段設けられている。この商品陳列用棚板１３は、陳列室６の後部側壁にブラケット１４を介して装着されるもので、該ブラケット１４に取り付けられる棚板本体１３ａと、該棚板本体１３ａに対して前記ガラス扉２の内面方向に向けて伸縮可能に形成されたスライド板１３ｂとを備えている。
【００１７】
このように、商品陳列用棚板１３を陳列室６の側壁に装着される棚板本体１３ａと、前後方向に移動可能に形成されたスライド板１３ｂとで形成することにより、商品陳列用棚板１３に陳列する商品の形態や陳列量に応じてスライド板１３ｂの前後方向位置を調節することにより、商品形態や商品陳列量に適した棚板奥行きに設定することができる。また、スライド板１３ｂを手前に引き出すことにより、商品陳列用棚板１３上への商品の補充も容易に行うことができる。
【００１８】
さらに、前記開口３を形成する支柱１５には、開口３の高さに対応した長さを有する１本又は複数本のＬＥＤ収納部材１６に多数の発光ダイオード（ＬＥＤ）１７を配列したＬＥＤ照明１８が設けられている。このＬＥＤ照明１８は、支柱１５に設けられる戸当たり部材１９とＬＥＤ収納部材１６とを一体的に形成した状態で支柱１５に取り付けられており、支柱１５の陳列室６側面と戸当たり部材１９との間には断熱材２０を介在させて熱移動を遮断するようにしている。
【００１９】
このように、ＬＥＤ照明１８と戸当たり部材１９とをあらかじめ一体的に形成しておくことにより、ＬＥＤ１７の発光時に発生する熱をＬＥＤ収納部材１６から戸当たり部材１９に効果的に逃がすことができ、ＬＥＤ１７の温度上昇を抑えてＬＥＤ１７の寿命を延ばすことができる。また、ＬＥＤ１７からの熱で戸当たり部材１９を加温することができるので、戸当たり部材結露防止ヒータを削減することができ、消費電力の低減を図ることができる。さらに、ＬＥＤ照明１８が支柱１５から突出しないようにすることができるので、陳列商品との距離を長くすることができ、陳列した商品への照明効果を向上させることができる。加えて、支柱１５と戸当たり部材１９との間に断熱材２０を設けておくことにより、ＬＥＤ１７の熱が戸当たり部材１９から支柱１５を介して陳列室６の低温域に伝わることを抑えることができ、冷却負荷の増大を抑えることができる。
【００２０】
また、前記陳列室６の最下段には、ワイヤ製収納箱２１が設けられている。このワイヤ製収納箱２１は、下部箱体２２と、該下部箱体２２の上部に前後方向に移動可能に設けられた上部箱体２３とを有している。上部箱体２３は、前後方向の長さが下部箱体２２の前後方向の長さより短く形成され、上部箱体２３の前面が下部箱体２２の前面に対応した図１に想像線で示す前方位置と、下部箱体２２の上部開口前半部を開口させた図１に実線で示す後方位置との間を移動可能に形成されている。したがって、上部箱体２３を後方位置にしておくことにより、下部箱体２２と上部箱体２３とを商品陳列用に使用することができ、下部箱体２２内に補充用商品を入れて上部箱体２３を前方位置にしておくことにより、下部箱体２２を商品のストック用として使用することができる。
【符号の説明】
【００２１】
１    リーチインショーケース
２    ガラス扉
３    開口
４    断熱壁
５    区画壁
６    陳列室
７    ダクト
８    送風ファン
９    冷却器
１０    吹出口
１１    吸込口
１２    整流板
１３    商品陳列用棚板
１３ａ    棚板本体
１３ｂ    スライド板
１４    ブラケット
１５    支柱
１６    ＬＥＤ収納部材
１７    発光ダイオード（ＬＥＤ）
１８    ＬＥＤ照明
１９    戸当たり部材
２０    断熱材
２１    ワイヤ製収納箱
２２    下部箱体
２３    上部箱体
Ｆ１    真下に向けて吹き出す冷気の流れ
Ｆ２    ガラス扉の内面に向けて吹き出す冷気の流れ
【図１】
2011152186.tif 000003
【図２】
2011152186.tif 000004
【図３】
2011152186.tif 000005